(57)【要約】【課題】舟形バルブおよびウエッジバルブの両方に適応可能であり、かつコンパクトな構成にすることができるバルブ電極接続用バスバーを提供すること。【解決手段】バルブ電極接続用バスバー２０において、船形バルブ用接続部２１は、外形長方形状の板状をなし、ウエッジバルブ用接続部２２は、扁平部１２２が挟待されるとともにウエッジバルブ１２０の電極１２３に当接されるように、かつ端部１１０ａが間に挿入可能に舟形バルブ用接続部２１の長手方向の一端２１ａの両縁２１ａａが折り曲げられることによって形成され、バルブ電極接続用バスバー２０は、船形バルブ用接続部２１の長手方向の他端２１ｂが延在され、電気配線に接続される接続部２３と、取り付け先に固定される部分となる固定部２４とが設けられてなる延在部２５を有してなる。【選択図】図９
2013038041.tif 000002
【特許請求の範囲】
【請求項１】
舟形バルブの端部に形成された電極に当接される船形バルブ用接続部と、ウエッジバルブの扁平部に形成された電極に当接されるウエッジバルブ用接続部とを有してなるバルブ電極接続用バスバーにおいて、
前記船形バルブ用接続部は、
外形長方形状の板状をなし、
前記ウエッジバルブ用接続部は、
前記扁平部が挟待されるとともに前記ウエッジバルブの電極に当接されるように、かつ前記端部が間に挿入可能に前記舟形バルブ用接続部の長手方向の一端の両縁が折り曲げられることによって形成され、
当該バルブ電極接続用バスバーは、
前記船形バルブ用接続部の長手方向の他端が延在され、電気配線に接続される接続部と、取り付け先に固定される部分となる固定部とが設けられてなる延在部
を有してなることを特徴とするバルブ電極接続用バスバー。
【請求項２】
前記ウエッジバルブ用接続部は、
対向する面の間隔が前記端部の厚み、および前記扁平部の厚みに応じて変化され、前記端部を挟持するようになっていることを特徴とする請求項１に記載のバルブ電極接続用バスバー。
【請求項３】
前記対向する面が、
前記舟形バルブあるいは前記ウエッジバルブの挿入側の端部が自由端にされてなる一対の片持弾性片の対向する面であることを特徴とする請求項２に記載のバルブ電極接続用バスバー。
【請求項４】
当該バルブ電極接続用バスバーは、
対で用いられ、前記舟形バルブ、あるいはウエッジバルブの両電極に接続されるように配置されることを特徴とする請求項１、２または３に記載のバルブ電極接続用バスバー。
【発明の詳細な説明】
【技術分野】
【０００１】
本発明は、光源となる舟形バルブ、あるいはウエッジバルブの電極に電気的に接続されるバルブ電極接続用バスバーに関する。
【背景技術】
【０００２】
従来、光源となるバルブの電極がバスバーを介して電気的に接続されることによって、バルブから発せられる光を照明光として用いる照明装置が提案されている（例えば、特許文献１参照）。このような照明装置に用いられるバルブには舟形バルブ、あるいはウエッジバルブがあり、それぞれのバルブに対応したバスバーを用いる必要があった。
【０００３】
舟形バルブおよびウエッジバルブに対応したバスバーを用いる場合、バスバーの在庫が増加することによって、あるいはバスバーを加工するための金型の種類が増加することによって、バスバーの製造コストが増加してしまうという問題がある。このような問題を解消するため、特許文献２には、舟形バルブおよびウエッジバルブの両方に接続可能なバルブ電極接続用バスバーを有してなる車載用室内照明装置が提案されている。
【先行技術文献】
【特許文献】
【０００４】
【特許文献１】特開２００６−２１６７０号公報
【特許文献２】特開２００９−２７４６７５号公報
【発明の概要】
【発明が解決しようとする課題】
【０００５】
しかしながら、特許文献２に記載されたバルブ電極接続用バスバーでは、舟形バルブおよびウエッジバルブそれぞれの電極に接続される接続部が、舟形バルブおよびウエッジバルブのそれぞれに干渉しないように離れた位置に配置されているのでコンパクトな構成にすることが難しいという問題があった。
【０００６】
本発明は、上記に鑑みてなされたものであって、舟形バルブおよびウエッジバルブの両方に適応可能であり、かつコンパクトな構成にすることができるバルブ電極接続用バスバーを提供することを目的とする。
【課題を解決するための手段】
【０００７】
上述した課題を解決し、目的を達成するために、本発明の請求項１にかかるバルブ電極接続用バスバーは、舟形バルブの端部に形成された電極に当接される船形バルブ用接続部と、ウエッジバルブの扁平部に形成された電極に当接されるウエッジバルブ用接続部とを有してなるバルブ電極接続用バスバーにおいて、前記船形バルブ用接続部は、外形長方形状の板状をなし、前記ウエッジバルブ用接続部は、前記扁平部が挟待されるとともに前記ウエッジバルブの電極に当接されるように、かつ前記端部が間に挿入可能に前記舟形バルブ用接続部の長手方向の一端の両縁が折り曲げられることによって形成され、当該バルブ電極接続用バスバーは、前記船形バルブ用接続部の長手方向の他端が延在され、電気配線に接続される接続部と、取り付け先に固定される部分となる固定部とが設けられてなる延在部を有してなることを特徴とする。
【０００８】
また、本発明の請求項２にかかるバルブ電極接続用バスバーは、上記の発明において、前記ウエッジバルブ用接続部は、対向する面の間隔が前記端部の厚み、および前記扁平部の厚みに応じて変化され、前記端部を挟持するようになっていることを特徴とする。
【０００９】
また、本発明の請求項３にかかるバルブ電極接続用バスバーは、上記の発明において、前記対向する面が、前記舟形バルブあるいは前記ウエッジバルブの挿入側の端部が自由端にされてなる一対の片持弾性片の対向する面であることを特徴とする。
【００１０】
また、本発明の請求項４にかかるバルブ電極接続用バスバーは、上記の発明において、当該バルブ電極接続用バスバーは、対で用いられ、前記舟形バルブ、あるいはウエッジバルブの両電極に接続されるように配置されることを特徴とする。
【発明の効果】
【００１１】
本発明の請求項１にかかるバルブ電極接続用バスバーは、前記船形バルブ用接続部が外形長方形状の板状をなし、前記ウエッジバルブ用接続部が前記扁平部が挟待されるとともに前記ウエッジバルブの電極に当接されるように、かつ前記端部が間に挿入可能に前記舟形バルブ用接続部の長手方向の一端の両縁が折り曲げられることによって形成され、当該バルブ電極接続用バスバーが前記船形バルブ用接続部の長手方向の他端が延在され、電気配線に接続される接続部と、取り付け先に固定される部分となる固定部とが設けられてなる延在部を有してなるので、前記舟形バルブ用接続部と前記ウエッジバルブ用接続部と近傍に設けたとしても、前記舟形バルブおよび前記ウエッジバルブの両方に接続させることができるので、舟形バルブおよびウエッジバルブの両方に適応可能であり、かつコンパクトな構成にすることができる。
【００１２】
本発明の請求項２にかかるバルブ電極接続用バスバーは、上述した請求項１と同様の効果を奏するとともに、前記ウエッジバルブ用接続部は、対向する面の間隔が前記端部の厚み、および前記扁平部の厚みに応じて変化され、前記端部を挟持するようになっているので、前記舟形バルブの組み付けの際、前記ウエッジバルブ用接続部がガイドとして機能され、前記舟形バルブを容易に組み付けることができる。
【００１３】
本発明の請求項３にかかるバルブ電極接続用バスバーは、上述した請求項１と同様の効果を奏するとともに、前記対向する面が、前記舟形バルブあるいは前記ウエッジバルブの挿入側の端部が自由端にされてなる一対の片持弾性片の対向する面であるので、この対向する面の間隔が前記舟形バルブの端部の厚み、および前記ウエッジバルブの扁平部の厚みに応じて変化されやすいようになっている。このため、前記ウエッジバルブ用接続部を確実に前記ウエッジバルブの電極に当接させることができる。
【００１４】
本発明の請求項４にかかるバルブ電極接続用バスバーは、上述した請求項１と同様の効果を奏するとともに、当該バルブ電極接続用バスバーは、対で用いられ、前記舟形バルブ、あるいはウエッジバルブの両電極に接続されるように配置されるので、対の間隔を調整することによって、バルブの変更が容易に行える。しかも、前記ウエッジバルブの組み付けの際、前記舟形バルブ用接続部の対向する面の間に前記扁平部が配置され、前記一対の舟形バルブ用接続部が、前記ウエッジバルブを組み付ける際のガイドとして機能するようになっているので、前記ウエッジバルブの組み付けが容易になる。
【図面の簡単な説明】
【００１５】
【図１】図１は、本発明の実施の形態にかかるバルブ電極接続用バスバーを含む照明ユニットを斜め下方から視た分解斜視図である。
【図２】図２は、図１に示した照明ユニットを斜め下方から視た斜視図である。
【図３】図３は、図１に示した照明ユニットを斜め上方から視た斜視図である。
【図４】図４は、図１に示した照明ユニットのハウジング収容部内を説明するための図である。
【図５】図５は、図１に示した舟形バルブの拡大斜視図である。
【図６】図６は、図１に示したウエッジバルブの拡大斜視図である。
【図７】図７は、図１に示した一対のバルブ電極接続用バスバーによって舟形バルブの両電極が接続されている状態を説明するための図である。
【図８】図８は、図１に示した一対のバルブ電極接続用バスバーによってウエッジバルブの両電極が接続されている状態を説明するための図である。
【図９】図９は、図１に示した第二のバルブ電極接続用バスバーを斜め下方から視た拡大斜視図である。
【図１０】図１０は、図１に示した第二のバルブ電極接続用バスバーを後方から視た正面図である。
【図１１】図１１は、図１に示した第二のバルブ電極接続用バスバーを右側から視た側面図である。
【図１２】図１２は、図１に示した照明ユニットの回路図である。
【図１３】図１３は、操作者によって、摘まみ操作部がスライド操作されることを説明するための図である。
【図１４】図１４は、変形例１のバルブ電極接続用バスバーの側面図である。
【図１５】図１５は、変形例２のバルブ電極接続用バスバーの側面図である。
【００１６】
以下、図面を参照して、本発明にかかるバルブ電極接続用バスバーの好適な実施の形態を詳細に説明する。
【００１７】
（実施の形態）
図１は、本発明の実施の形態にかかるバルブ電極接続用バスバー２０を含む照明ユニット１００を斜め下方から視た分解斜視図である。図２は、図１に示した照明ユニット１００を斜め下方から視た斜視図である。図３は、図１に示した照明ユニット１００を斜め上方から視た斜視図である。図４は、図１に示した照明ユニット１００のハウジング収容部４１内を説明するための図である。図５は、図１に示した舟形バルブ１１０の拡大斜視図である。図６は、図１に示したウエッジバルブ１２０の拡大斜視図である。図７は、図１に示した一対のバルブ電極接続用バスバー２０によって舟形バルブ１１０の両電極１１３が接続されている状態を説明するための図である。図８は、図１に示した一対のバルブ電極接続用バスバー２０によってウエッジバルブ１２０の両電極１２３が接続されている状態を説明するための図である。図９は、図１に示した第二のバルブ電極接続用バスバー２０ｂを斜め下方から視た拡大斜視図である。図１０は、図１に示した第二のバルブ電極接続用バスバー２０ｂを後方から視た正面図である。図１１は、図１に示した第二のバルブ電極接続用バスバー２０ｂを右側から視た側面図である。図１２は、図１に示した照明ユニット１００の回路図である。図１３は、操作者によって、摘まみ操作部３２ｂがスライド操作されることを説明するための図である。
なお、便宜上、図中の互いに直交する矢印方向を前後上下左右方向とする。
【００１８】
照明ユニット１００は、図１に示すように、舟形バルブ１１０あるいはウエッジバルブ１２０、機能部１０、ハウジング４０、レンズ５０、コネクタ部６０を有してなる。
まず、舟形バルブ１１０およびウエッジバルブ１２０について説明する。
舟形バルブ１１０は、図５に示すように、円筒状に形成された発光部１１１と、発光部１１１の中心軸に沿って円錐形状に形成された円錐状端部１１２が両端部１１０ａに形成され、各円錐状端部１１２の先端に各電極１１３が設けられている。
ウエッジバルブ１２０は、図６に示すように、発光部１２１と、両側部に各電極１２３が形成されてなる扁平形状の扁平部１２２を有してなる。
【００１９】
次に、機能部１０について説明する。
機能部１０は、３つの固定接点用バスバー１１と、一対のバルブ電極接続用バスバー２０（以下、第一のバルブ電極接続用バスバー２０ａ、第二のバルブ電極接続用バスバー２０ｂという。）と、スイッチ機能部３０を有してなる。
【００２０】
各固定接点用バスバー１１（以下、第一の固定接点用バスバー１２、第二の固定接点用バスバー１３、および第三の固定接点用バスバー１４という。）は、照明の点灯消灯の切り替えのための後述する可動接点３７と接続される固定接点（以下、第一の固定接点１２ａ、第二の固定接点１３ａ、第二の固定接点１４ａという。）を有してなる。
【００２１】
第一の固定接点用バスバー１２は、電線Ｗを介して後述する第二の雄型端子６３に接続され、電気的に接続されることなく非導通となる。
第二の固定接点用バスバー１３は、電線Ｗを介して第一のバルブ電極接続用バスバー２０ａに接続されるようになっている。
第三の固定接点用バスバー１４は、電線Ｗを介して後述する第三の雄型端子６４に接続され、第三の雄型端子６４を介して接地されるようになっている。
また、各固定接点用バスバー１１は、圧接端子１１ａを介して電線Ｗに接続され、固定用突出刃１１ｂを介してハウジング５０の底壁４０ａに固定されるようになっている。
【００２２】
対をなす第一のバルブ電極接続用バスバー２０ａおよび第二のバルブ電極接続用バスバー２０ｂは、図７および図８に示すように、設置間隔を調整することによって、舟形バルブ１１０、あるいはウエッジバルブ１２０の両電極１１３，１２３に電気的に接続されるものである。
これら第一のバルブ電極接続用バスバー２０ａと、第二のバルブ電極接続用バスバー２０ｂとは後述する舟形バルブ用接続部２１の舟形バルブ１１０の電極１１３が当接される面２２ｂを向かい合わせて対称となるように形成されている。
【００２３】
ここで第二のバルブ電極接続用バスバー２０ｂを用いて、バルブ電極接続用バスバー２０についてより詳細に説明する。なお、第一のバルブ電極接続用バスバー２０ａは、第二のバルブ電極接続用バスバー２０ｂと略同様な構成であるため説明を省略する。
第二のバルブ電極用バスバー２０ｂは、図９−図１１に示すように、舟形バルブ１１０の端部１１０ａに形成された電極１１３に当接される船形バルブ用接続部２１と、ウエッジバルブ１２０の扁平部１２２に形成された電極１２３に当接されるウエッジバルブ用接続部２２とを有してなる。
船形バルブ用接続部２１は、外形長方形状の板状をなしている。
【００２４】
ウエッジバルブ用接続部２２は、扁平部１２２が挟待されるとともにウエッジバルブ１２０の電極１２３に当接されるように、かつ船形バルブ１１０の端部１１０ａが間に挿入可能に舟形バルブ用接続部２１の長手方向の一端２１ａの両縁２１ａａが折り曲げられることによって形成されてなる。
このウエッジバルブ用接続部２２は、舟形バルブ１１０あるいはウエッジバルブ１２０の挿入側の端部２２ａが自由端にとされ、対向する面２２ｂの間隔が変化される一対の片持弾性片２２ｃを有してなり、一対の片持弾性片２２ｃの少なくとも一方がウエッジバルブ１２０の電極１２３に当接されるようになっている。
【００２５】
また、バルブ電極接続用バスバー２０は、船形バルブ用接続部２１の長手方向の他端２１ｂが延在され、電気配線に接続される接続部２３と、取り付け先となるハウジング４０に固定部される部分となる固定部２４とが設けられてなる延在部２５を有してなる。この延在部２５は、ハウジング５０の底面に沿って外部に露出され、船形バルブ用接続部２１およびウエッジバルブ用接続部２２がハウジング５０内部に収容されるように、船形バルブ用接続部２１の端部２１ｂからＬ字状に屈曲されて延在された部分である。
接続部２３は、電線Ｗが接続される圧接端子２３ａであり、固定部２４は、後述する固定用孔４８に挿通される固定用突出刃２４ａによって構成される。
【００２６】
このような第一のバルブ電極接続用バスバー２０ａおよび第二のバルブ電極接続用バスバー２０ｂによって、舟形バルブ１１０の両電極１１３が接続される場合、図７に示すように、舟形バルブ１１０の両端部１１０ａに設けられた各電極１１３が各舟形バルブ用接続部２１に当接されるようになっている。また、ウエッジバルブ用接続部２２が、舟形バルブ１１０の円錐状端部１１２を挟みこむようになっている。より具体的には、舟形バルブ１１０の端部１１０ａの厚み、あるいはウエッジバルブ１２０の扁平部１２２の厚みに応じて一対の片持弾性片２２ｃの間隔が変化されるようになっている。
なお、舟形バルブ１１０の端部１１０ａは円錐状をなすので、すなわち、先端に向けて厚みが減少するように形成されているので、一対の片持弾性片２２ｃによって扁平部１２２が挟持されるだけでなく、舟形バルブ１１０の端部１１０ａが挟持されやすいようになっている。
このため、ウエッジバルブ用接続部２２は、舟形バルブ１１０を組み付ける際のガイドとして機能するようになっている。
【００２７】
一方、第一のバルブ電極接続用バスバー２０ａおよび第二のバルブ電極接続用バスバー２０ｂによって、ウエッジバルブ１２０の両電極１２３が接続される場合、図８に示すように、扁平部１２２を挟待するように設けられたウエッジバルブ用接続部２２がウエッジバルブ１２０の両電極１２３に当接されるようになっている。
また、一対のバルブ電極接続用バスバー２０が配置されることによって、舟形バルブ用接続部２１の対向する面２２ｂの間に扁平部１２２が配置されるので、一対の舟形バルブ用接続部２１が、ウエッジバルブ１２０を組み付ける際のガイドとして機能するようになっている。
【００２８】
スイッチ機能部３０は、図１に示すように、スイッチノブ３１および可動コンタクト部３５を有してなる。
スイッチノブ３１は、左右方向にスライドさせるスイッチ操作を行うための操作部であり、略角柱状の柱状基部３２と、カバー部３３とを有してなる。
柱状基部３２は、上部がレンズ部５０のスイッチ開口部５１から外部に露出され、操作者が摘まんで操作する摘まみ操作部３２ｂとして機能される。また、柱状基部３２の下部が可動基部保持部３２ａとして後述する可動基部３６を保持するようになっている。この可動基部保持部３２ａは、後述する可動基部３６の上部形状に対応して開口が外形矩形状に形成された凹部であり、後述する可動基部３６の上部が嵌合されるようになっている。
【００２９】
カバー部３３は、スイッチ開口部５１を塞ぐカバーとして機能するものである。このカバー部３３は、柱状基部３２の側部外周に沿って設けられ、スイッチノブ３１のスライド方向を長手方向とするように外形矩形状に形成されてなるカバーである。このようなカバー部３３によって、スイッチノブ３１がスライドされた場合でも、スイッチ開口部５１の開口が塞がれた状態とすることができるようになっている。
【００３０】
可動コンタクト部３５は、上部がスイッチノブ３１の可動基部保持部３２ａに嵌合され、スイッチノブ３１がスライドされることによって、スイッチノブ３１とともにスライドされる可動基部３６と、可動基部３６の後述する収容部３６ｂに収容され、スライドされることによって二つの固定接点１１ｃを接続させる可動接点３７とを有してなる。
【００３１】
可動基部３６は、板状のスライドガイド部３６ａと、可動基部３６の下部に設けられた箱状の収容部３６ｂを有してなる。
スライドガイド部３６ａは、両面から棒状に突出されたガイド棒３６ａａを有し、このガイド棒３６ａａがハウジング４０の後述するガイド壁部４２に形成された後述するガイド開口部４２に挿通されることよってスライド方向での移動が規制されるようになっている。
【００３２】
収容部３６ｂ内には、後方から前方に向けて可動接点３７、バネ３８、位置決めボール３９が配置されている。可動接点３７は、収容部３６ｂの後方に露出され、位置決めボール３９は可動接点３７との間にバネ３８が配置されて収容部３６ｂの前方に一部が露出されるように収容部３６ｂ内で保持されているようになっている。
このような可動接点３７、バネ３８、位置決めボール３９によって、可動接点３７がバネ３８によって各固定接点１１ｃに付勢され、位置決めボール３９が、後述するガイド壁部４２に形成された位置決め凹部４５に嵌ることによって可動接点３７の位置決めがされるようになっている。
【００３３】
次に、ハウジング４０について説明する。
ハウジング４０は、絶縁性の材料からなる容器であり内部に形成されたハウジング収容部４１に、舟形バルブ１１０あるいはウエッジバルブ１２０、および機能部１０が収容されるようになっている。
より具体的には、ハウジング４０は、矩形状の底壁４０ａと、底壁４０ａの縁に沿って立設された周側壁４０ｂからなり、上部開口部４０ｃが形成された箱型形状をなしている。
【００３４】
また、ハウジング収容部４１には、図４に示すように、内部を仕切るように一対のガイド壁部４２が設けられている。この一対のガイド壁部４２は、間にスイッチ機能部３０が配置できるように間隔を空けて向かい合って設けられ、スイッチ機能部３０のスライド方向への移動をガイドする機能を有するとともに、位置決め機能を有するようになっている。すなわち、一対のガイド壁部４２の各ガイド壁部４２には、互いに向かい合う位置にガイド棒３６ａａのスライド方向での移動を規制するガイド開口部４３が形成されている。
【００３５】
また、後側のガイド壁部４２には、各固定接点１１ｃが可動接点３７と接触されるように可動接点３７側に各固定接点１１ｃを露出させる接点開口部４４が各固定接点１１ｃに対応して３箇所に形成されている。
また、前側のガイド壁部４２には、可動接点３７が二つの固定接点を接続させる接続位置での位置決め機能を有する位置決め凹部４５が形成されている。
また、ハウジング４０の底壁４０ａには、一対のバルブ電極接続用バスバー２０の各圧接端子２２ａがハウジング４０の外部に露出されるために、２箇所に形成されたバルブ接続用開口部４６ａ，４６ｂと、三つの固定接点用バスバー１１の各圧接端子１１ａがハウジング４０の外部に露出されるための固定接点用開口部４７と、各バルブ電極接続用バスバー２０および各固定接点用バスバー１１が各固定用突出刃１１ｂ，２２ｂを挿通させて底壁４０ａに固定されるための固定用孔４８が形成されている。
【００３６】
次に、レンズ５０について説明する。
レンズ５０は、外形矩形状の光透過性の板状部材からなり、ハウジング４０の上部開口部４０ｃを覆うように形成さてなる。このレンズ５０は、ハウジング４０の上部に取り付けられることによって、ハウジング収容部４１に収容された舟形バルブ１１０あるいはウエッジバルブ１２０および機能部１０を保護するとともに、舟形バルブ１１０あるいはウエッジバルブ１２０から発せられるは光をハウジング４０の外部に出射させるものである。
また、レンズ５０には、摘まみ操作部３２ｂが挿通されるスイッチ開口部５１が形成されている。
【００３７】
次に、コネクタ部６０について説明する。
コネクタ部６０は、機能部１０が外部との電気的接続を可能とするためのコネクタとして機能するものである。このコネクタ部６０は、３つの雄端子６１（以下、第一の雄端子６２、第二の雄端子６３、第三の雄端子６４という。）と、各雄端子６１が保持固定される角筒状のボックス部６５とを有してなる。
【００３８】
各雄型端子６１は、不図示の雌型端子を介して外部との導通を可能とする棒状端子部６１ａと、電線Ｗが接続される圧接端子部６１ｂとを有してなる。
第一の雄端子６２は、棒状端子部６１ａを介して外部電源に接続され、電線Ｗを介して第二のバルブ電極接続用バスバー２０ｂに接続されている。
第二の雄端子６３は、棒状端子部６１ａを介して電気的導通が遮断され、電線Ｗを介して第一の固定接点用バスバー１２に接続されている。
第三の雄端子６４は、棒状端子部６１ａを介して接地され、電線Ｗを介して第三の固定接点用バスバー１４に接続されている。
【００３９】
このような照明ユニット１００では、図１２に示すような、スイッチング回路が形成されている。このため、図１３に示すように、操作者によって、摘まみ操作部３２ｂがスライド操作されることによって、照明が点灯状態、あるいは消灯状態に切替えられる。より具体的には、可動接点３７が、第一の固定接点１２ａと、第二の固定接点１３ａとを接続することによって、照明が消灯状態となり、可動接点３７が第二の固定接点１２ａと、第三の固定接点１４ａとを接続することによって、照明が点灯状態となる。
【００４０】
本発明の実施の形態にかかるバルブ電極接続用バスバー２０は、船形バルブ用接続部２１が、外形長方形状の板状をなし、ウエッジバルブ用接続部２２が、扁平部１２２が挟待されるとともにウエッジバルブ１２０の電極１２３に当接されるように、かつ舟形バルブ１１０の端部１１０ａが間に挿入可能に舟形バルブ用接続部２１の長手方向の一端２１ａの両縁２１ａａが折り曲げられることによって形成され、バルブ電極接続用バスバー２０が、船形バルブ用接続部２１の長手方向の他端２１ｂが延在され、電気配線に接続される接続部２３と、ハウジング４０に固定される部分となる固定部２４とが設けられてなる延在部２５を有してなるので、舟形バルブ用接続部２１とウエッジバルブ用接続部２２と近傍に設けたとしても、舟形バルブ１１０およびウエッジバルブ１２０の両方に接続させることができるので、舟形バルブ１１０およびウエッジバルブ１２０の両方に適応可能であり、かつコンパクトな構成にすることができる。
【００４１】
また、本発明の実施の形態にかかるバルブ電極接続用バスバー２０は、ウエッジバルブ用接続部２２が、対向する面２２ｂの間隔が舟形バルブ１１０の端部１１０ａの厚み、およびウエッジバルブ１２０の扁平部１２２の厚みに応じて変化され、舟形バルブ１１０の端部１１０ａを挟持するようになっているので、舟形バルブ１１０の組み付けの際、ウエッジバルブ用接続部２２がガイドとして機能されるので、舟形バルブ１１０を容易に組み付けることができる。
【００４２】
また、本発明の実施の形態にかかるバルブ電極接続用バスバー２０は、対向する面２２ｂが、舟形バルブ１１０あるいはウエッジバルブ１２０の挿入側の端部２２ｂが自由端にされてなる一対の片持弾性片２２ｃの対向する面であるので、対向する面２２ｂの間隔が舟形バルブ１１０の端部１１０ａの厚み、およびウエッジバルブ１２０の扁平部１２２の厚みに応じて変化されやすいようになっている。このため、ウエッジバルブ用接続部２２を確実にウエッジバルブ１２０の電極１２３に当接させることができる。
【００４３】
また、本発明の実施の形態にかかるバルブ電極接続用バスバー２０は、対で用いられ、舟形バルブ１１０、あるいはウエッジバルブ１２０の両電極１１３，１２３に接続されるように配置されるので、対の間隔を調整することによって、バルブの変更が容易に行える。
しかも、ウエッジバルブ１２０の組み付けの際、舟形バルブ用接続部２１の対向する面２２ｂの間に扁平部１２２が配置され、一対の舟形バルブ用接続部２１が、ウエッジバルブ１２０を組み付ける際のガイドとして機能するようになっているので、ウエッジバルブ１２０の組み付が容易になる。
【００４４】
（変形例１）
次に、図１４を用いて本発明の実施の形態にかかるバルブ電極接続用バスバー２０の変形例１について説明する。図１４は、変形例１のバルブ電極接続用バスバー７０の側面図である。
この変形例１のバルブ電極接続用バスバー７０は、舟形バルブ用接続部２１と延在部２５とが、Ｌ字状に屈曲されることなく直線状に形成されてなる点で実施の形態のバルブ電極接続用バスバー２０と異なる。
なお、その他の構成は実施の形態と同様であり、実施の形態と同一構成部分には同一符号を付している。
【００４５】
バルブ電極接続用バスバー７０は、例えば、ガイド壁部４２に形成された固定用孔４８に固定用突出刃２４ａ挿通されることによってハウジング４０に固定されるようになっている。
この変形例１のバルブ電極接続用バスバー７０は、実施の形態のバルブ電極接続用バスバー２０と同様な効果を奏することができる。
【００４６】
（変形例２）
次に、図１５を用いて本発明の実施の形態にかかるバルブ電極接続用バスバー２０の変形例２について説明する。図１５は、変形例２のバルブ電極接続用バスバー８０の側面図である。
この変形例２のバルブ電極接続用バスバー８０は、ウエッジバルブ用接続部８１が、舟形バルブ１１０あるいはウエッジバルブ１２０の挿入側の端部２２ａが自由端にとされていない点で実施の形態のバルブ電極接続用バスバー２０と異なる。
【００４７】
このウエッジバルブ用接続部８１は、扁平部１２２が挟待されるとともにウエッジバルブ１２０の電極１２３に当接されるように、かつ船形バルブ１１０の端部１１０ａが間に挿入可能に舟形バルブ用接続部２１の長手方向の一端２１ａの両縁２１ａａが折り曲げられることによって形成されてなるので、実施の形態のバルブ電極接続用バスバー２０と同様に、舟形バルブ用接続片部２１ａとウエッジバルブ用接続部２１ｂと近傍に設けたとしても、舟形バルブ１１０およびウエッジバルブ１２０の両方に接続させることができるので、舟形バルブ１１０およびウエッジバルブ１２０の両方に適応可能であり、かつコンパクトな構成にすることができる。
【００４８】
なお、本発明の実施の形態では、一対のバルブ電極接続用バスバー２０，７０，８０を用いて、舟形バルブ１１０あるいはウエッジバルブ１２０の両電極１１３，１２３に各バルブ電極接続用バスバー２０，７０，８０が接続されるものを例示したが、これに限らない。すなわち、バルブ電極接続用バスバー２０，７０，８０が、舟形バルブ１１０あるいはウエッジバルブ１２０の一方の電極１１３，１２３に接続されるようにしてもよい。
【００４９】
また、本発明の実施の形態では、バルブ電極接続用バスバー２０，７０，８０が圧接端子２２ａを有してなり、バルブ電極接続用バスバー２０，７０が圧接端子２３ａに接続された電線Ｗを介して他との電気的な接続を可能とするものを例示したが、これに限らない。すなわち、バルブ電極接続用バスバー２０，７０，８０が電気配線との接続が可能であればばよい。
【００５０】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００５１】
１０        機能部
１１        固定接点用バスバー
１１ａ      圧接端子
１１ｂ      固定用突出刃
１１ｃ      固定接点
１２        第一の固定接点用バスバー
１２ａ      第一の固定接点
１３        第二の固定接点用バスバー
１３ａ      第二の固定接点
１４        第三の固定接点用バスバー
１４ａ      第三の固定接点
２０、７０、８０  バルブ電極接続用バスバー
２０ａ      第一のバルブ電極接続用バスバー
２０ｂ      第二のバルブ電極接続用バスバー
２１        舟形バルブ用接続部
２１ａ、２１ｂ  端
２１ａａ    縁
２２        ウエッジバルブ用接続部
２２ａ      端部
２２ｂ      対向する面
２２ｃ      片持弾性片
２３        接続部
２３ａ      圧接端子
２４        固定部
２４ａ      固定用圧接刃
２５        延在部
３０        スイッチ機能部
３１        スイッチノブ
３２        柱状基部
３２ａ      可動基部保持部
３２ｂ      摘まみ操作部
３３        カバー部
３５        可動コンタクト部
３６        可動基部
３６ａ      スライドガイド部
３６ａａ    ガイド棒
３６ｂ      収容部
３７        可動接点
３８        バネ
３９        位置決めボール
４０        ハウジング
４０ａ      底壁
４０ｂ      周側壁
４０ｃ      上部開口部
４１        ハウジング収容部
４２        ガイド壁部
４３        ガイド開口部
４４        接点開口部
４５        位置決め凹部
４６ａ、４６ｂ  バルブ接続用開口部
４７        固定接点用開口部
４８        固定用孔
５０        レンズ
５１        スイッチ開口部
６０        コネクタ部
６１        雄端子
６１ａ      棒状端子部
６１ｂ      圧接端子部
６２        第一の雄端子
６３        第二の雄端子
６４        第三の雄端子
６５        ボックス部
１００      照明ユニット
１１０      舟形バルブ
１１０ａ    端部
１１１      発光部
１１２      円錐状端部
１１３      電極
１２０      ウエッジバルブ
１２１      発光部
１２２      扁平部
１２３      電極
Ｗ          電線
【図１】
2013038041.tif 000003
【図２】
2013038041.tif 000004
【図３】
2013038041.tif 000005
【図４】
2013038041.tif 000006
【図５】
2013038041.tif 000007
【図６】
2013038041.tif 000008
【図７】
2013038041.tif 000009
【図８】
2013038041.tif 000010
【図９】
2013038041.tif 000011
【図１０】
2013038041.tif 000012
【図１１】
2013038041.tif 000013
【図１２】
2013038041.tif 000014
【図１３】
2013038041.tif 000015
【図１４】
2013038041.tif 000016
【図１５】
2013038041.tif 000017